(57)【要約】【課題】レンズ枠のレンズ保持筒部にレンズを保持した状態で、レンズ保持筒部に対してレンズの傾き、位置調整ができるレンズ調整構造を提供する。【解決手段】一端部が開放され、他端部にレンズの光学面外部分を保持するフランジが形成されたレンズ保持筒部を有するレンズ枠において、上記レンズ保持筒部に嵌められたレンズを、そのレンズ保持筒部に対して傾き、位置調整可能にするレンズ調整構造であって、上記フランジに、上記レンズ保持筒部に嵌められたレンズの光学面外部分を露出させる調整用孔を設けた。【選択図】図７
2011158526.tif 000002
【特許請求の範囲】
【請求項１】
一端部が開放され、他端部にレンズの光学面外部分を保持するフランジが形成されたレンズ保持筒部を有するレンズ枠において、上記レンズ保持筒部に嵌められたレンズを、そのレンズ保持筒部に対して傾き、位置調整可能にするレンズ調整構造であって、
上記フランジに、上記レンズ保持筒部に嵌められたレンズの光学面外部分を光軸方向に露出させる調整用孔を少なくとも１個設けたこと、を特徴とするレンズ調整構造。
【請求項２】
請求項１記載のレンズ調整構造において、上記レンズ保持筒部には、レンズの光学面外部分を上記レンズ保持筒部に対して固定する固定部材が備えられているレンズ調整構造。
【請求項３】
請求項１記載のレンズ調整構造において、上記レンズ保持筒部には、上記調整用孔とは異なる位置に、前記レンズの光学面外部分と上記レンズ保持筒部とを接着する接着剤溜まりが形成されているレンズ調整構造。
【請求項４】
請求項１乃至３の何れか一項記載のレンズ調整構造において、上記レンズ保持筒部にレンズが嵌められた後に、上記一端部側に、上記レンズの光学面外部分を押さえるレンズ押えリングが装着されるレンズ調整構造。
【請求項５】
請求項１乃至４の何れか一項記記載のレンズ調整構造において、上記レンズは外形が略長方形に形成され、上記レンズ保持筒部及びフランジは上記レンズの外形と略相似形に形成されていて、上記調整用孔は、上記フランジと上記レンズ保持筒部の内側面とによって形成される角部に形成されているレンズ調整構造。
【請求項６】
請求項１乃至５の何れか一項記記載のレンズ調整構造において、上記調整用孔は、上記レンズの光軸を挟んで対称位置に設けられているレンズ調整構造。
【請求項７】
請求項１乃至６の何れか一項記載のレンズ調整構造において、上記レンズ枠は、上記レンズ保持筒部から径方向に延びた腕部を有し、この腕部の先端部に設けられたガイド部材が、レンズの光軸と平行に配置された直進ガイド部材に直進移動自在に支持されているレンズ調整構造。
【発明の詳細な説明】
【技術分野】
【０００１】
本発明は光学機器における光学要素調整構造に係り、特にレンズを保持して移動する保持部材に対するレンズの傾き調整が容易な光学要素調整構造に関する。
【背景技術】
【０００２】
カメラなどの光学機器において、収納状態で光軸方向の薄型化が可能なレンズ鏡筒を、出願人は特許文献１や特許文献２により提案した。特許文献１のレンズ鏡筒は、撮影状態ではズームレンズを構成する複数の光学要素を同一の光軸上に位置させ、収納状態では、複数の光学要素の一部（以下、「挿脱光学要素」と呼ぶ）を、光軸からの偏心位置に離脱させ、かつ離脱した挿脱光学要素と、離脱しない光学要素の少なくとも一部とをそれぞれ独立させて後退させている。特許文献２のレンズ鏡筒では、挿脱光学要素と、常に光軸上に位置する第２の光学要素（例えばシャッタ）を共通の支持環内に支持し、収納状態になるときに、挿脱光学要素を径方向に離脱移動させるのみならず、支持環内で挿脱光学要素と第２の光学要素を接近方向に相対移動させている。
【先行技術文献】
【特許文献】
【０００３】
【特許文献１】特許第３７７１９０９号公報
【特許文献２】特開２００９-２５１０６３号公報
【発明の概要】
【発明が解決しようとする課題】
【０００４】
以上のレンズ鏡筒ではいずれも、挿脱光学要素よりも像側に位置する光学要素が焦点調節光学要素となっている。焦点調節光学要素は、挿脱光学要素の挿脱運動を許容するために、支持環の外に光軸と平行に配置されたガイド軸によって光軸方向に進退移動自在に支持されている。図９に示したように、焦点調節光学要素であるＡＦレンズ群ＬＡは、ＡＦレンズ枠１５１の中央のレンズ保持筒部１５１ａに保持されていて、中央のレンズ保持筒部１５１ａから、径方向にガイド腕部１５１ｂが延設されている。ガイド腕部１５１ｂの先端部には前後一対のガイド穴１５１ｃ、１５１ｄが形成され、この一対のガイド穴１５１ｃ、１５１ｄが、レンズ鏡筒の固定部に光軸Ｏと平行に固定されたＡＦレンズガイド軸１５２に直線摺動自在に挿通されている。ＡＦレンズガイド軸１５２はその軸心ｘが光軸Ｏと平行になるように固定されていて、ＡＦレンズ枠（進退部材）１５１は、このＡＦレンズガイド軸１５２によって、光軸Ｏと平行な方向に移動可能に直進案内されている。
【０００５】
このような構成からなる焦点調節光学要素は、製造段階におけるＡＦレンズ群ＬＡのレンズ光軸ＯＬを設計上の光軸Ｏに一致させるべくＡＦレンズ群ＬＡの傾き調整を、一対のガイド孔１５１ｃ、１５１ｄの位置調整によって行っていた。従来は、ＡＦレンズ枠１５１の一対のガイド孔１５１ｃ、１５１ｄの一方を軸心ｘに対して直交方向に位置調整することにより傾き調整していた。
【０００６】
ところが、一対のガイド孔１５１ｃ、１５１ｄの間隔ｄ１に比して、ＡＦレンズガイド軸１５２の軸心ｘと光軸Ｏの間隔ｄ２の方が広い。そのため、一対のガイド孔１５１ｃ、１５１ｄの一方の位置（軸心ｘに対して直交方向の位置）を僅かに調整するだけで、ＡＦレンズ群ＬＡは位置が大きく変動してしまう問題があった。例えば、一対のガイド孔１５１ｃ、１５１ｄの一方のガイド孔１５１ｄを移動量Δｄ１だけ初期位置から移動させると、一対のガイド孔１５１ｄの中心線ｘａがＡＦレンズガイド軸１５２の軸心ｘに対して角度Δα傾く。一方、ＡＦレンズ群ＬＡは、初期位置から角度Δα傾くが、ＡＦレンズ枠１５１が他方のガイド孔１５１ｃ付近を中心として回転するので、ＡＦレンズ群ＬＡの移動量Δｄ２は、移動量Δｄ１の、約ｄ２／ｄ１倍に拡大されてしまう。このようにガイド孔１５１ｄの位置調整をすると、ＡＦレンズ群ＬＡは傾きだけでなく、その位置も大きく変動してしまうので、傾き調整は非常に困難であった。
【０００７】
しかも、ＡＦレンズ枠１５１は、合成樹脂による射出成形により形成されるが、前記ガイド孔１５１ｄの位置調整は、射出成型用の金型の調整によって行われていた。そのため、金型のガイド孔１５１ｄを成形する部分の調整に長時間要し、微少な調整は困難なので所望の調整ができず、無駄な金型が発生する場合もあった。
【０００８】
また、従来、レンズ枠がカム環のカム溝と直進案内溝によって保持されているレンズにおいては、レンズ枠を調整することができない。そのため、レンズ枠をレンズ鏡筒に組み込んだ状態でレンズ位置、傾きなどを調整するためには、レンズ枠に対してレンズ位置を調整するしか方法がなかった。しかしながら、レンズ枠がレンズ鏡筒に組み込まれた状態でレンズをレンズ枠に対して調整する場合、光軸と直交する方向からジグをレンズ枠に接近させることができず、レンズ鏡筒の開口部からジグを挿入する必要があり、熟練した技術がないとレンズ表面に傷をつけてしまうことがあり、調整が大変であった。
【０００９】
本発明は、以上の従来技術の課題に鑑みてなされたものであって、レンズ枠のレンズ保持筒部にレンズを保持した状態で、レンズ保持筒部に対してレンズの傾き、位置調整が容易にできるレンズ調整構造を提供することを目的とする。
【課題を解決するための手段】
【００１０】
かかる課題を解決する本発明のレンズ調整構造は、一端部が開放され、他端部にレンズの光学面外部分を保持するフランジが形成されたレンズ保持筒部を有するレンズ枠において、上記レンズ保持筒部に嵌められたレンズを、そのレンズ保持筒部に対して傾き、位置調整可能にするレンズ調整構造であって、上記フランジに、上記レンズ保持筒部に嵌められたレンズの光学面外部分を光軸方向に露出させる調整用孔を少なくとも１個設けたことに特徴を有する。
【００１１】
上記レンズ保持筒部には、レンズの光学面外部分を上記レンズ保持筒部に対して固定する固定部材が備えられる。より実際的には、上記レンズ保持筒部には、上記調整用孔とは異なる位置に、前記レンズの光学面外部分と上記レンズ保持筒部とを接着する接着剤溜まりが形成されている。
【００１２】
実際的には、上記レンズ保持筒部にレンズが嵌められた後に、上記一端部側に、上記レンズの光学面外部分を押さえるレンズ押えリングが装着される。
【００１３】
上記レンズは外形が略長方形に形成され、上記レンズ保持筒部及びフランジは上記レンズの外形と略相似形に形成されていて、上記調整用孔は、上記フランジと上記レンズ保持筒部の内側面とによって形成される角部に形成することが好ましい。
上記調整用孔は、上記レンズの光軸を挟んで対称位置に設けることが好ましい。
本発明は、上記レンズ保持筒部から径方向に延びた腕部を有し、この腕部の先端部に設けられたガイド部材が、レンズの光軸と平行に配置された直進ガイド部材に直進移動自在に支持されたレンズ枠に好適である。
【発明の効果】
【００１４】
本発明によれば、レンズをレンズ保持筒部に嵌め込んだ状態で、レンズの光学面外部分が調整用孔から光軸方向に露出するので、この調整用孔からジグ等を差し込んでレンズの光学面外部分を押して、レンズの傾き、位置を容易に調整することができる。
【図面の簡単な説明】
【００１５】
【図１】本発明による絞機構支持装置を搭載したズームレンズ鏡筒の一実施形態を示す撮影状態（ズーム域）での断面図である。
【図２】同ズームレンズ鏡筒の収納（沈胴）状態での断面図である。
【図３】同ズームレンズ鏡筒の主要な構成要素の分解斜視図である。
【図４】本発明を適用したレンズ移動枠の一実施形態を示す、光軸方向後方から見た斜視図である。
【図５】同レンズ移動枠を撮像素子側から見た斜視図である。
【図６】同レンズ移動枠を光軸を通る面で縦断した断面図である。
【図７】図６の断面図において、光学要素部分を拡大した断面図である。
【図８】同レンズ移動枠のレンズ傾きを調整する様子を説明する断面図である。
【図９】従来のレンズ移動枠においてレンズ傾き調整の様子を示す側面図である。
【図１０】従来のレンズ移動枠のガイド軸部の拡大断面である。
【発明を実施するための形態】
【００１６】
最初に図１乃至図３を参照して、本発明を適用した沈胴式ズームレンズ鏡筒ＺＬの一実施形態の全体構造を説明する。このズームレンズ鏡筒ＺＬの撮像光学系は、物体（被写体）側から順に第１レンズ群ＬＧ１、シャッタＳ、開口可変絞りＡ、第２レンズ群（挿脱光学要素）ＬＧ２、第３レンズ群（ＡＦレンズ群）ＬＧ３、ローパスフィルタ２５及び撮像素子２６を備えている。以下の説明中で光軸方向とは、この撮影光学系の光軸Ｏと平行な方向を意味し、前方とは光軸方向の前方（被写体側）、後方とは光軸方向の後方（像面側）を意味する。
【００１７】
ズームレンズ鏡筒ＺＬは固定部材として筒状のハウジング２２を有し、ハウジング２２の後部に撮像素子ホルダ２１が固定される。ローパスフィルタ２５と撮像素子２６はユニット化されて撮像素子ホルダ２１の前面部に固定されている。
【００１８】
第３レンズ群ＬＧ３は、ズームレンズ鏡筒ＺＬにおけるフォーカスレンズ群である。図３に示すように、レンズ移動枠としての３群レンズ枠５１は、筒状部内に第３レンズ群ＬＧ３を保持するレンズ保持筒部５１ａと、該レンズ保持筒部５１ａから異なる外径方向に延設された一対のガイド腕部５１ｂ、５１ｃを有する。レンズ保持筒部５１ａとガイド腕部５１ｃの境界部分には、２群レンズ保持枠６に保持される第２レンズ群ＬＧ２が進入可能な２群レンズ収納凹部５１ｄが形成されている。一方のガイド腕部５１ｂの先端部には前後一対のガイド孔５１ｅ、５１ｆが形成されている。これらのガイド孔５１ｅ、５１ｆに３群ガイド軸５２が挿通され、この３群ガイド軸５２を介して３群レンズ枠５１が光軸方向に直進移動可能に支持されている。他方のガイド腕部５１ｃの先端に設けた回り止め部が、固定鏡筒内に形成した回転規制部（不図示）に係合して３群レンズ枠５１の回転を規制する。３群ガイド軸５２は、ハウジング２２の筒状部外側に配置されており、その前端部がハウジング２２に支持され、後端部が撮像素子ホルダ２１に支持されている。
【００１９】
一方のガイド腕部５１ｂにはさらに、ガイド孔５１ｅ、５１ｆ近傍部から突設された突片に遊孔５１ｇが形成されていて、この遊孔５１ｇに、リードスクリュー５８が緩く挿通されている。リードスクリュー５８は、３群ガイド軸５２と平行に配置され、ＡＦモータ１６０によって正逆に回転駆動される。このリードスクリュー５８には、前方からＡＦナット５４が螺合されている。３群レンズ枠５１は、ハウジング２２の外面に支持されるトーションバネ５５によって光軸方向前方へ付勢され、ＡＦナット５４に当て付いて前方への移動が規制される。従って、ＡＦモータ１６０によってリードスクリュー５８を回転させるとＡＦナット５４が進退動し、その進退移動及びトーションバネ５５に拘束されて、３群レンズ枠５１が光軸方向に進退動する。なお、ＡＦナット５４は、図４に示したように、径方向に延びた一対の突起５４ａを有し、この突起５４ａが３群レンズ枠５１の突起５１ｎを挟むことで、リードスクリュー５８が正逆に回転しても回転しないように回り止めされている。
【００２０】
ハウジング２２の内側には、３群レンズ枠５１の支持駆動手段とは別に、ズームモータ１５０により駆動制御される変倍群（カム環）ブロックが支持されている。変倍群（カム環）ブロックは、図３に示すように、直進案内環１０、カム環１１、繰出筒１２及び２群レンズブロック８０を含んでいる。
【００２１】
カム環１１は、繰出筒１２と共にズームレンズ鏡筒ＺＬの外観筒を構成しており、ハウジング２２の内周面に形成したカム環ガイド溝２２ａに対して摺動可能に嵌るガイド突起１１ａを有する。カム環１１は、ズームモータ１５０（図３）により回転駆動されるズームギヤ２８の駆動力をギヤ部１１ｂで受けて回転され、カム環ガイド溝２２ａの案内により回転しながら光軸方向に移動する。
【００２２】
直進案内環１０は、ハウジング２２の内面に形成した直進案内溝２２ｂに対して直進案内突起１０ａを摺動可能に係合させることで、光軸方向に直進移動可能に案内されている。直進案内突起１０ａの基部を構成する壁部と回転案内爪１０ｂの間に回転案内爪１１ｃを挟むことによって、２群用直進案内環１０とカム環１１は、相対回転は可能で光軸方向に共に移動するように結合されている。
【００２３】
２群レンズブロック８０は、２群レンズ移動枠（進退部材）８の前部にシャッタブロック１００を固定した構成であり、２群レンズ移動枠８から外径方向に突出する直進案内キー８ａを、直進案内環１０に形成した光軸方向への長孔である直進案内スロット１０ｃに対して摺動可能に係合させることにより光軸方向へ直進案内されている。シャッタＳは光軸Ｏと平行な軸により軸支された複数枚のシャッタ羽根で構成され、この複数のシャッタ羽根をシャッタブロック１００に内蔵したアクチュエータにより駆動することで、シャッタＳが開閉される。シャッタブロック１００の後部には、ズームレンズ鏡筒ＺＬの状態に応じて開口径が変化する開口可変絞りＡが設けられている。開口可変絞りＡは、光軸Ｏと平行な軸により軸支された複数枚の絞り羽根で構成され、ズーム域のテレ端側（図１の下半断面）よりもワイド端側（図１の上半断面）で開口径を小さくするように開度が切り替えられるが、その両方の状態において、絞り開口内への第２レンズ群ＬＧ２の一部の進入を許す開口径となっている。また、２群レンズ移動枠８の内部には、第２レンズ群ＬＧ２を保持する２群レンズ保持枠（挿脱動作部材）６が支持されている。２群レンズ保持枠６は、光軸方向に軸線を向けた回動軸３３を中心として揺動可能に支持されている。
【００２４】
カム環１１の内周面に形成した２群制御カム溝ＣＧ２に対し、２群レンズ移動枠８に設けた２群用カムフォロアＣＦ２が摺動可能に係合している。２群用カムフォロアＣＦ２は、直進案内キー８ａの外径部に設けられ、直進案内環１０を径方向に貫通する直進案内スロット１０ｃを通して２群用カムフォロアＣＦ２との係合位置まで突出されている。２群レンズ移動枠８（２群レンズブロック８０）は直進案内環１０を介して光軸方向に直進案内されているため、カム環１１が回転すると、２群制御カム溝ＣＧ２の形状に従って、２群レンズ移動枠８（２群レンズブロック８０）が光軸方向へ所定の軌跡で移動する。直進案内環１０は、ズーミングの際に２群レンズ移動枠８に対して相対移動する相対移動部材である。
【００２５】
繰出筒１２内には第１レンズ群ＬＧ１が保持されている。繰出筒１２は内面側に設けた直進案内キー１２ａ（図１）を直進案内環１０の直進案内溝１０ｄに対して摺動可能に係合させることで光軸方向へ直進案内されている。なお、繰出筒１２の直進案内機構である直進案内溝１０ｄ及び直進案内キー１２ａと、２群レンズブロック８０の直進案内機構である直進案内スロット１０ｃ及び直進案内キー８ａを、図１では同一断面位置に示しているが、図３から分かるように、それぞれの直進案内機構の実際の周方向位置は異なる。
【００２６】
カム環１１の内周面に形成した１群制御カム溝ＣＧ１に対し、繰出筒１２の後端部付近に設けた１群用カムフォロアＣＦ１が摺動可能に係合している。繰出筒１２は直進案内環１０を介して光軸方向に直進案内されているため、カム環１１が回転すると、１群制御カム溝ＣＧ１の形状に従って繰出筒１２が光軸方向へ所定の軌跡で移動する。
【００２７】
以上の構造からなるズームレンズ鏡筒ＺＬは次のように動作する。図１に示す撮影状態（ズーム域）でズームモータ１５０を正逆に駆動すると、ハウジング２２に対してカム環１１が光軸方向に移動する。カム環１１の光軸方向位置はカム環ガイド溝２２ａの軌跡により制御される。第１レンズ群ＬＧ１を支持する繰出筒１２と、第２レンズ群ＬＧ２を支持する２群レンズブロック８０（２群レンズ移動枠８）はそれぞれ、カム環１１の回転に応じてカムフォロアＣＦ１、ＣＦ２がカム溝ＣＧ１、ＣＧ２の案内を受けて光軸方向に相対移動し、図１上半のワイド端では第１レンズ群ＬＧ１と第２レンズ群ＬＧ２の間隔が大きく、図２下半のテレ端では第１レンズ群ＬＧ１と第２レンズ群ＬＧ２の間隔が小さくなる。ワイド端からテレ端までのズーム域全体において、２群レンズ保持枠６は、第２レンズ群ＬＧ２の中心を光軸Ｏに一致させる挿入位置（図１）に保持される。
【００２８】
一方、図１に示す撮影状態（より詳細には図１上半のワイド端）からズームモータ１５０を鏡筒収納方向に駆動させると、ガイド突起１１ａがカム環ガイド溝２２ａの案内を受け、カム環１１が回転しながら光軸方向後方へ移動される。繰出筒１２と２群レンズブロック８０（２群レンズ移動枠８）は、カム環１１上のカム溝ＣＧ１、ＣＧ２の軌跡による所定の相対移動を伴いつつ、カム環１１と共に光軸方向後方へ移動する。そして、２群レンズ移動枠８と共に２群レンズ保持枠６が光軸方向後方へ移動して撮像素子ホルダ２１に接近すると、２群レンズ保持枠６が離脱位置へ向けて回動し、離脱位置に移動する（図２）。
【００２９】
３群レンズ枠５１における第３レンズ群ＬＧ３の傾き調整構造につき、図４乃至図７を参照してより詳細に説明する。この第３レンズ群ＬＧ３は、外形が正面視横長の長方形両凸レンズである。第３レンズ群ＬＧ３の光学面の外周にはフレーム状のコバ部Ｌ３ａが形成されていて、外周のコバ面Ｌ３ｂは光軸と略平行な平面状に、被写体側の面（コバ部前面Ｌ３ｃ）及び像側の面（コバ部後面Ｌ３ｄ）は光軸Ｏと略直交する平面状に形成されている。コバ部Ｌ３ａ及びコバ部前、後面Ｌ３ｃ、Ｌ３ｄが、第３レンズ群ＬＧ３の光学面外部分に相当する。
【００３０】
この３群レンズ枠５１のレンズ保持筒部５１ａには、内側面５１ｉの後方端部側にフランジ５１ｈが、光軸Ｏと略直交する平面状に突設形成されている。レンズ保持筒部５１ａは、被写体側から見て（正面視）、内側の輪郭及びフランジ５１ｈが、第３レンズ群ＬＧ３の外形と略相似形に形成されている。第３レンズ群ＬＧ３は、レンズ保持筒部５１ａに被写体側（前方）から嵌められ、内側面５１ｉ及びフランジ５１ｈによって保持される。レンズ保持筒部５１ａは、第３レンズ群ＬＧ３がレンズ保持筒部５１ａに嵌め込まれた状態で、第３レンズ群ＬＧ３の外周のコバ面Ｌ３ｂと内側面５１ｉとの間に隙間ができるように形成されている。
【００３１】
レンズ保持筒部５１ａには、フランジ５１ｈと内側面５１ｉの接合部に形成される４個の角部に、フランジ５１ｈ及びレンズ保持筒部５１ａを貫通した調整用孔５１ｊが形成されている。調整用孔５１ｊは、レンズ保持筒部５１ａに保持された３群レンズ枠５１のコバ部Ｌ３ａを後方に露出させる。したがって３群レンズ枠５１の後方（撮像素子側）からこの調整用孔５１ｊ内に調整ジグ等を差し込んで、調整ジグの先端部を直接、第３レンズ群ＬＧ３の光学面外部分であるコバ部後面Ｌ３ｄに当接させることができる。
【００３２】
第３レンズ群ＬＧ３がレンズ保持筒部５１ａに嵌め込まれた後、第３レンズ群ＬＧ３のコバ部Ｌ３ａを押さえるようにレンズ押えリング５３がレンズ保持筒部５１ａに装着される。レンズ押えリング５３からフランジ５１ｈまでの奥行き（光軸方向長）は、コバ部Ｌ３ａの光軸方向の厚さ（コバ部前面Ｌ３ｃとコバ部後面Ｌ３ｄの光軸方向間隔）よりも深く（長く）形成されていて、第３レンズ群ＬＧ３は、コバ部Ｌ３ａがレンズ押えリング５３とフランジ５１ｈとの間で移動可能である。つまり第３レンズ群ＬＧ３は、レンズ保持筒部５１ａに対して傾き、位置調整が可能な状態にある。
【００３３】
レンズ保持筒部５１ａには、第３レンズ群ＬＧ３を固定するための接着剤溜まりとなる切り欠き凹部５１ｋ、５１ｍが、図４に示したように被写体側端面から上下の内側面５１ｉの左右方向中央部、及び左側の内側面５１ｉの上下方向中央部に形成されている。切り欠き凹部５１ｋ、５１ｍは、調整用孔５１ｊとは異なる位置、離反した位置であれば、形成場所は問わない。なお、切り欠き凹部５１ｍは、第３レンズ群ＬＧ３のコバ部Ｌ３ａから突出形成された位置決めタブＬ３ｅが嵌る位置決め部材も兼ねている。
【００３４】
次に、第３レンズ群ＬＧ３を３群レンズ枠５１に組み付ける方法及び第３レンズ群ＬＧ３の傾きを調整する方法について、さらに図８を参照して説明する。図８は、３群レンズ枠５１を把持し、調整ジグによって第３レンズ群ＬＧ３の傾きを調整する様子を示している。
【００３５】
先ず、３群レンズ枠５１を、被写体側を上に向けて、第３レンズ群ＬＧ３を上方からレンズ保持筒部５１ａ内に嵌め込みできるように保持する。次に、第３レンズ群ＬＧ３を、レンズ保持筒部５１ａ内に落とし込んで、コバ部後面Ｌ３ｄをフランジ５１ｈに当接させる。
【００３６】
次に、第３群レンズ枠５１のレンズ保持筒部５１ａの前面及び後面を、一対の棒状把持具６１、６２によって挟圧把持して固定する。棒状把持具６１、６２はアジャスタブルレンチ状の器具であって、一方の棒状把持具６１の先端部に形成された爪６１ａと、他方の棒状把持具６２の先端面６２ａとでレンズ保持筒部５１ａを挟むこの棒状把持具６１、６２による挟圧把持は、レンズ保持筒部５１ａの異なる２箇所以上に対して行うことが望ましい。
【００３７】
次に、調整用ジグ６３、６４によって第３レンズ群ＬＧ３のコバ部Ｌ３ａを挟持する。調整用ジグ６３、６４は、先端部が対向したコ字形状を呈し、各調整用ジグ６３、６４の一方の先端部６３ａ、６４ａによってコバ部Ｌ３ａを挟持する。ここでは、前方の調整用ジグ６３の先端部６３ａがコバ部前面Ｌ３ｃに当接し、後方の調整用ジグ６４の先端部６４ａが、調整用孔５１ｊに差し込まれ、コバ部後面Ｌ３ｄに当接している。先端部６４ａと調整用孔５１ｊとの間には隙間がある。第３レンズ群ＬＧ３のコバ面Ｌ３ｂとレンズ保持筒部５１ａの内側面５１ｉとの間にも隙間がある。これらの隙間によって第３レンズ群ＬＧ３は、３群レンズ保持筒部５１ａ内で、レンズ光軸ＯＬ３の傾き調整や位置調整させることができる。
【００３８】
調整用ジグ６３、６４は、他方の端部６３ｂ、６４ｂが傾き調整機構６５に支持されている。詳細は図示しないが、この傾き調整機構６５は、調整用ジグ６３、６４の先端部６３ａ、６４ａを接離移動する機能を有する。さらにこの傾き調整機構６５は、第３レンズ群ＬＧ３のレンズ光軸ＯＬ３上の一点、好ましくは光学中心Ｏｃを中心として、レンズ光軸ＯＬ３を通る面内において前後方向に微揺動するチルト調節機能を有する。この傾き調整機構６５によって調整用ジグ６３、６４を微回動させることで、第３レンズ群ＬＧ３が、その光学中心Ｏｃをピボット軸として前後方向に俯仰動する。この俯仰動が、第３レンズ群ＬＧ３の傾き調整に含まれる。
【００３９】
ここで、第３レンズ群ＬＧ３（レンズ光軸ＯＬ３）が、光軸Ｏに対してΔα傾斜していた（図では像面側に倒れていた、）とする。そこで、図７に示したように、傾き調整機構６５によって調整用ジグ６３、６４を微少な角度Δα（第３レンズ群ＬＧ３を起こす方向、図７では反時計方向に）回転させると、第３レンズ群ＬＧ３も、光学中心Ｏｃを中心として同一の微少な角度Δα回転（チルト）して、レンズ光軸ＯＬ３が光軸Ｏと一致する。
【００４０】
このように第３レンズ群ＬＧ３をその光学中心Ｏｃを中心としてチルト調整できるので、レンズ保持筒部５１ａに対する第３レンズ群ＬＧ３の光学中心Ｏｃを保持した状態で傾きを調整できる。レンズ保持筒部５１ａに対して光学中心Ｏｃを移動させずに傾き調整ができるので、レンズ光軸ＯＬ３が光軸Ｏに対してシフトせず、位置調整の必要性は生じない。
【００４１】
また、第３レンズ群ＬＧ３は、その光学中心Ｏｃを中心として、正位置に対して左右方向にも回動可能なので、左右方向の傾き調整（パーン調整）もすることができる。
【００４２】
第３レンズ群ＬＧ３の傾き調整（チルト調整）が終了したら、切り欠き凹部５１ｋに接着剤を充填して硬化させて、第３レンズ群ＬＧ３をレンズ保持筒部５１ａに接着する。接着剤が熱硬化タイプであれば接着剤を加熱し、又は加熱環境に搬送して加熱し、接着剤がＵＶ硬化タイプであれば紫外線を照射する。第３レンズ群ＬＧ３がレンズ保持筒部５１ａに接着されたら、調整用ジグ６３、６４、棒状把持具６１、６２を外す。最後に、レンズ押えリング５３を装着する。レンズ押えリング５３は、接着剤によってレンズ保持筒部５１ａに接着固定する。
【００４３】
以上のレンズ傾き調整によれば、レンズ保持筒部５１ａの前方開放端側から接近する調整用ジグ６３と後方から調整用孔５１ｊに差し込んだ調整用ジグ６４とによってコバ部Ｌ３ａのコバ部前面Ｌ３ｃ、コバ部後面Ｌ３ｄを挟持して第３レンズ群ＬＧ３を回転させることができるので、第３レンズ群ＬＧ３の傾きを高精度に調整できる。
【００４４】
上記レンズ傾き調整では調整用ジグ６３、６４によってコバ部Ｌ３ａを挟持しているので、調整用ジグ６３、６４を光軸Ｏと直交方向に移動させることで、第３レンズ群ＬＧ３の光軸Ｏと直交する方向の位置調整、オフセット調整も可能である。
【００４５】
この実施形態では、レンズ押えリング５３を装着する前に第３レンズ群ＬＧ３の傾き調整を実施したが、レンズ押えリング５３を装着した後に傾き調整可能とする実施形態もある。この別の実施形態では、レンズ押えリング５３にも、コバ部前面Ｌ３ｃが露出するように調整用孔を形成する。この調整用孔は、フランジ５１ｈに形成した調整用孔５１ｊと対向する位置が好ましい。そうしてレンズ押えリング５３の調整用孔とフランジ５１ｈの調整用孔５１ｊから前記調整用ジグ６３、６４の先端部６３ａ、６４ａを差し込んでレンズ保持筒部５１ａを挟持し、上記同様の調整操作を行う。
【００４６】
以上の通り本発明の実施形態によれば、調整用孔５１ｊから差し込んだ調整用ジグを、レンズ保持筒部５１ａに嵌めた第３レンズ群ＬＧ３のコバ部Ｌ３ａに当接させて直接第３レンズ群ＬＧ３を動かせるので、レンズ保持筒部５１ａに対する第３レンズ群ＬＧ３の微少な角度Δαの調整ができる。
本実施形態では第３レンズ群ＬＧ３の傾き調整を３群レンズ枠５１を移動させずに行うことができるので、第３レンズ群ＬＧ３の傾き（チルト）のみを正確に調整できる。
３群レンズ枠の金型の調整が不要なので、無駄な金型が発生することが無い。
【００４７】
以上、本実施形態では、調整用孔５１ｊをレンズ保持筒部５１a内の角部に４個設けたが、その数、位置はこれに限定されず、１個でもよいが、レンズの面倒れ調整の為には、少なくとも３箇所設けることが好ましい。また、レンズ保持部筒部５１ａに装着するレンズの光軸からできるだけ遠い位置に設ける方が、レンズの微少な傾き調整をする際に有利である。
【００４８】
本実施形態では長方形の第３レンズ群ＬＧ３及びレンズ保持筒部５１aに適用したが、本発明の光学要素の傾き調整構造は、円形のレンズ及びレンズ保持筒部に適用することもできる。
【００４９】
レンズ保持筒部５１ａはフランジ５１ｈ側を後方端としたが、本発明はフランジ５１ｈ側が前方端となるレンズ保持筒部にも適用できる。
フランジ５１ｈには調整用孔５１ｊのみを形成したが、調整用孔５１ｊとは異なる位置に接着剤充填用の孔を形成してもよい。
外形が略長方形の第３レンズ群ＬＧ３に適用した実施形態を示したが、本発明は円形レンズにも適用できる。
調整用穴５１ｊは、レンズ保持筒部５１ａとフランジ５１ｈに形成されているが、コバ部後面Ｌ３ｂが光軸方向後方に露出すれば、どちらか一方だけに空けてもよい。
【００５０】
調整終了後、調整用孔５１ｊには接着剤を充填しなくてよいが、調整用孔５１ｊに接着剤を充填することもできる。この場合の接着剤は、時間経過によって硬化するタイプも使用できる。また、調整用孔５１ｊを遮光部材で遮光することにより、調整用孔５１ｊから迷光が入射するのを防止できる。調整用孔５１ｊの遮光は、遮光性の塗料を充填するなど容易である。
【００５１】
以上の実施形態では、本発明の光学要素の傾き調整構造を沈胴式レンズ鏡筒のＡＦレンズ移動枠に適用した場合を例示して説明したが、本発明はこれに限定されず、例えば内視鏡は双眼鏡などあらゆる光学系のレンズ枠に適用できる。
【符号の説明】
【００５２】
６  ２群レンズ保持枠
６ａ  レンズ保持筒部
６ｂ  軸支部
６ｄ  ストッパアーム
８  ２群レンズ移動枠
８ｃ  内方フランジ
８ｅ  位置決め突起
１０  直進案内環
１１  カム環
１２  繰出筒
２１  撮像素子ホルダ
２２  ハウジング
２６  撮像素子
５１  ３群レンズ枠
５１ａ  レンズ保持筒部
５１ｂ  ガイド腕部
５１ｃ  ガイド腕部
５１ｄ  ２群レンズ収納凹部
５１ｅ  ガイド孔
５１ｆ  ガイド孔
５１ｇ  遊孔
５１ｈ  フランジ
５１ｉ  内側面
５１ｊ  調整用孔
５１ｋ  切り欠き凹部（接着剤溜まり）
５１ｍ  切り欠き凹部
５１ｎ  突起
５２  ガイド軸
５３  レンズ押えリング
５４  ＡＦナット
５５  トーションバネ５５
５８  リードスクリュー
８０  ２群レンズブロック
１００  シャッタブロック
１６０  ＡＦモータ
１５０  ズームモータ
ＣＦ１  １群用カムフォロア
ＣＦ２  ２群用カムフォロア
ＣＧ１  １群制御カム溝
ＣＧ２  ２群制御カム溝
ＬＧ１  第１レンズ群
ＬＧ２  第２レンズ群
ＬＧ３  第３レンズ群（焦点調節レンズ群、ＡＦレンズ群）
Ｌ３ａ  コバ部（光学面外部分）
Ｌ３ｂ  コバ面
Ｌ３ｃ  コバ部前面
Ｌ３ｄ  コバ部後面
ＺＬ  ズームレンズ鏡筒
【図１】
2011158526.tif 000003
【図２】
2011158526.tif 000004
【図３】
2011158526.tif 000005
【図４】
2011158526.tif 000006
【図５】
2011158526.tif 000007
【図６】
2011158526.tif 000008
【図７】
2011158526.tif 000009
【図８】
2011158526.tif 000010
【図９】
2011158526.tif 000011
【図１０】
2011158526.tif 000012